(57)【要約】【課題】製造中に電子装置のディスプレイを校正するための校正システムを提供する。【解決手段】校正システムは、校正コンピューティング装置と、光センサを有するテストチャンバーとを備えている。校正コンピューティング装置は、光センサ及びディスプレイを動作して表示性能データを収集するように構成される。校正コンピューティング装置は、表示性能データから表示性能統計値を抽出し、その表示性能統計値を使用してディスプレイ校正シーケンスを適応的に選択して遂行する。校正コンピューティング装置は、手前のディスプレイ校正シーケンス中に抽出された表示性能統計値に基づいて、ディスプレイの校正を遂行すべきかどうか、及び付加的な表示性能データを収集すべきかどうか決定するように構成される。校正コンピューティング装置は、ディスプレイが首尾良く校正されるまで、ディスプレイ校正シーケンスを繰り返し及び適応的に遂行するよう構成される。【選択図】図３
2013178519.tif 000002
【特許請求の範囲】
【請求項１】
校正コンピューティング装置及び光センサを備えた校正システムを使用してディスプレイを有する電子装置を校正する方法において、
前記ディスプレイを使用して表示光を発生する段階と、
前記校正コンピューティング装置及び光センサで、前記発生される表示光に関連した表示性能データを収集する段階と、
前記収集した表示性能データをターゲット性能データと比較して、前記ディスプレイに対して表示白色点校正を遂行すべきかどうか決定する段階と、
を備えた方法。
【請求項２】
表示白色点校正の修正を遂行すべきであるとの決定に応答して、前記校正コンピューティング装置から前記電子装置へ表示校正データを与えることにより前記ディスプレイに対して表示白色点校正を遂行する段階を更に備えた、請求項１に記載の方法。
【請求項３】
収集した表示性能データをターゲット性能データと比較する前記段階は、
前記校正コンピューティング装置で、前記収集した表示性能データから表示性能統計値を抽出すること、及び
前記校正コンピューティング装置で、前記抽出した表示性能統計値をターゲット性能データと比較すること、
を含む請求項２に記載の方法。
【請求項４】
前記校正コンピューティング装置で、表示性能データとターゲット性能データとの比較に基づき付加的な表示性能データを収集すべきかどうか決定する段階を更に備えた、請求項２に記載の方法。
【請求項５】
収集した表示性能データをターゲット性能データと比較する前記段階は、
前記校正コンピューティング装置で、前記収集した表示性能データからディスプレイの自然白色点データを抽出すること、及び
前記校正コンピューティング装置で、前記抽出した自然白色点データをターゲット白色点データと比較すること、
を含む請求項２に記載の方法。
【請求項６】
前記抽出した自然白色点データをターゲット白色点データと比較することは、前記抽出した自然白色点データが前記ターゲット白色点データの所定の範囲内にあるかどうか決定することを含む、請求項５に記載の方法。
【請求項７】
前記自然白色点データがターゲット白色点データの所定の範囲内にあるとの決定に応答して、ディスプレイの表示白色点校正を行わずに校正動作を終了する段階を更に備えた、請求項６に記載の方法。
【請求項８】
前記自然白色点データがターゲット白色点データの所定範囲外であるとの決定に応答して、前記抽出された自然白色点データとターゲット白色点データとの比較に基づいて表示校正データを発生し、そしてその発生した表示校正データを前記校正コンピューティング装置から電子装置に与えることにより前記ディスプレイの表示白色点校正を遂行する段階を更に備えた、請求項６に記載の方法。
【請求項９】
前記自然白色点データがターゲット性能データの所定範囲外であるとの決定に応答して、付加的な表示性能データを収集する段階を更に備えた、請求項６に記載の方法。
【請求項１０】
前記ディスプレイを使用して付加的な表示光を発生する段階と、
前記校正コンピューティング装置及び光センサで、前記付加的な表示光を発生する間に付加的な表示性能データ収集する段階と、
前記収集した付加的な表示性能データを前記ターゲット性能データと比較して、前記ディスプレイに対する付加的な表示白色点校正を遂行すべきかどうか決定する段階と、
を更に備えた請求項９に記載の方法。
【請求項１１】
校正コンピューティング装置を有する校正システムを使用してディスプレイを有する電子装置の表示校正パラメータを得る方法において、
前記校正コンピューティング装置で、ディスプレイの第１の校正測定を遂行する段階であって、ディスプレイの第１の校正測定の遂行は、少なくとも１つの表示性能データ点を収集することを含むような段階と、
前記校正コンピューティング装置で、少なくとも１つの表示性能データ点に基づきディスプレイに対して遂行すべき第２の校正測定を選択する段階と、
前記校正コンピューティング装置で、ディスプレイに対する前記選択された第２の校正測定を遂行する段階と、
を備えた方法。
【請求項１２】
前記校正システムは、光センサを備え、前記ディスプレイの第１の校正測定の遂行は、
前記ディスプレイを動作モードで動作すること、及び
前記校正コンピューティング装置及び光センサで、ディスプレイを動作モードで動作する間に少なくとも１つの表示性能データ点を収集すること、
を含む請求項１１に記載の方法。
【請求項１３】
ディスプレイに対する選択された第２の校正測定を遂行する前記段階は、
前記動作モードとは異なる少なくとも１つの付加的な動作モードでディスプレイを動作すること、及び
前記校正コンピューティング装置及び光センサで、ディスプレイを少なくとも１つの付加的な動作モードで動作する間に少なくとも１つの付加的な表示性能データ点を収集すること、
を含む請求項１２に記載の方法。
【請求項１４】
前記ディスプレイを動作モードで動作することは、前記ディスプレイの複数の色の表示ピクセルに電力を同時に与えることを含む、請求項１２に記載の方法。
【請求項１５】
前記ディスプレイに対する選択された第２の校正測定を遂行する前記段階は、
複数の色のうちの第１の色の表示ピクセルに電力を排他的に与えること、
前記校正コンピューティング装置及び光センサで、複数の色のうちの第１の色の表示ピクセルに電力を排他的に与える間に第１の付加的な表示性能データ点を収集すること、
複数の色のうちの第２の色の表示ピクセルに電力を排他的に与えること、及び
前記校正コンピューティング装置及び光センサで、複数の色のうちの第２の色の表示ピクセルに電力を排他的に与える間に第２の付加的な表示性能データ点を収集すること、
を含む請求項１４に記載の方法。
【請求項１６】
ディスプレイに対する選択された第２の校正測定を遂行する前記段階は、少なくとも１つの付加的な表示性能データ点を収集することを含み、前記方法は、更に、
前記校正コンピューティング装置で、前記少なくとも１つの付加的な表示性能データ点に基づいてディスプレイに対して遂行すべき第３の校正測定を選択すること、及び
前記校正コンピューティング装置で、ディスプレイに対する選択された第３の校正測定を遂行すること、
を含む請求項１１に記載の方法。
【請求項１７】
前記少なくとも１つの表示性能データ点を収集することは、第１の表示性能データ点を収集することを含み、少なくとも１つの付加的な表示性能データ点の収集は、第２、第３及び第４の表示性能データ点を収集することを含み、前記ディスプレイの第３の校正測定の遂行は、ディスプレイの少なくとも第５の表示性能データ点を収集することを含む、請求項１６に記載の方法。
【請求項１８】
前記第１の表示性能データ点を収集することは、ディスプレイの自然白色点を決定することを含み、前記第２、第３及び第４の表示性能データ点の収集は、第１、第２及び第３の色強度データ点を決定することを含み、少なくとも第５の表示性能データ点の収集は、少なくとも１つの混合色強度データ点を決定することを含む、請求項１７に記載の方法。
【請求項１９】
前記ディスプレイの第１の校正測定を遂行することは、更に、前記表示校正データを電子装置に与えることを含み、前記ディスプレイの選択された第２の校正測定の遂行は、その与えられた表示校正データを使用してディスプレイを動作することを含む、請求項１１に記載の方法。
【請求項２０】
校正システムを使用して白色点表示校正データを得て電子装置のディスプレイを校正する方法において、前記ディスプレイは、複数の色の表示ピクセルを含むものであり、前記方法は、
前記校正システムで、初期表示光出力データを収集してディスプレイの白色点性能を特徴付ける段階と、
前記収集した初期表示光出力データから、複数の色のうちの所与の色に対する光出力がその色の予想光出力から著しくずれることを決定するのに応答して、付加的な表示光出力データを収集して、ディスプレイの白色点性能を更に特徴付ける段階と、
を備えた方法。
【発明の詳細な説明】
【技術分野】
【０００１】
本発明は、校正に関するもので、より特定すれば、製造中の電子装置のディスプレイの校正に関する。
【０００２】
本出願は、参考としてここにそのまま援用する２０１２年２月２８日に出願された米国特許出願第１３／４０７，５５２号の優先権を主張するものである。
【背景技術】
【０００３】
ポータブルコンピュータ、メディアプレーヤ、セルラー電話、セットトップボックスのような電子装置、及び他の電子装置には、多くの場合、視覚情報を表示するためのディスプレイが設けられる。
【０００４】
所与のディスプレイの表示色性能は、自然白色点(native white point)により特徴付けることができる。ディスプレイの自然白色点は、通常、１組の色度(chromaticity)値により定義される。自然白色点に関連した色度値は、ディスプレイの表示ピクセルの全ての色がフルパワーで作用するときにディスプレイにより発生される色を表わすのに使用される。
【発明の概要】
【発明が解決しようとする課題】
【０００５】
製造上のばらつきのために、あるディスプレイの自然白色点が別のディスプレイの自然白色点と異なることがある。この形式の表示色性能ばらつきは、一貫した表示色性能をもつ電子装置の製造を試みるときに難題をもたらす。
【０００６】
それ故、カラーディスプレイをもつ電子装置を校正するための校正システムを提供できることが望まれる。
【課題を解決するための手段】
【０００７】
製造中に電子装置のディスプレイを校正するための校正システムが提供される。
【０００８】
ディスプレイは、液晶ディスプレイ技術、有機発光ダイオード技術、又はディスプレイの光を発生するための他の適当なディスプレイ技術を含む。ディスプレイは、種々の色の光を発生するための表示ピクセルを含む。ディスプレイには、表示ピクセルを動作するためのディスプレイドライバ回路が設けられる。ディスプレイドライバ回路は、着色表示ピクセルの選択された組み合わせを各々の選択された電力レベルで駆動して、表示ピクセルにより発生される個々の色の混合色をもつ光を発生する。
【０００９】
校正システムには、校正コンピューティング装置及びテストチャンバーが設けられる。又、テストチャンバーには、表示光を表示性能データへ変換するためにテストチャンバーにマウントされる光センサが設けられる。校正動作中に、ディスプレイを有する電子装置がテストチャンバーに入れられる。校正コンピューティング装置は、電子装置及び光センサを動作させる。
【００１０】
校正動作中に、校正コンピューティング装置は、電子装置に信号を送って、電子装置がディスプレイを動作するように命令する。ディスプレイは、全ての色の全ての表示ピクセルを全電力で付勢するか、ある表示ピクセルを動作する一方、他の表示ピクセルを不作動にするか、第１及び第２の色の表示ピクセルを各々第１及び第２の電力レベルで動作するか、又は表示ピクセルを他の条件のもとで動作することにより、動作される。
【００１１】
ディスプレイを動作する間に、光センサを使用して、表示光出力データのような表示性能データを収集する。校正コンピューティング装置は、収集した性能データを処理し、そしてその収集した性能データを、ある範囲の許容値のようなターゲット性能データと比較する。収集した性能データの処理は、収集した性能データからディスプレイの自然白色点のような白色点を計算することを含む。
【００１２】
校正コンピューティング装置は、表示性能データとターゲット性能データとの比較に基づいて１つ以上のディスプレイ校正パラメータのようなディスプレイ校正データを発生する。校正コンピューティング装置は、発生されたディスプレイ校正データを、ワイヤード又はワイヤレス経路を経て電子装置へ送信する。ディスプレイ校正データは、ディスプレイの自然白色点を修正白色点へ校正（例えば、修正）するために電子装置により使用される。
【００１３】
収集した性能データと許容値の範囲との比較は、自然表示白色点又は以前に修正された表示白色点がターゲット白色点の許容範囲内にあるかどうか決定することを含む。ターゲット白色点は、所定のものでもよいし、又は校正動作中に決定されてもよい。
【００１４】
表示性能データが許容範囲内にあるとの決定に応答して、校正動作が終了し、合格したディスプレイに対して適当なアクションが取られる。合格ディスプレイのための適当なアクションは、そのディスプレイを有する電子装置を顧客へ出荷すること、そのディスプレイを有する電子装置を後続校正ステーション又はテストステーションへ通過させること、又はそのディスプレイを後続製造ステーションへ通過させることを含む。
【００１５】
表示性能データが許容範囲外であるとの決定に応答して、校正コンピューティング装置は、ディスプレイに対して付加的な校正動作を遂行する。付加的な校正動作の遂行は、ディスプレイに対して付加的な校正シーケンス（ここでは、校正測定とも称される）を適応式に選択して実行することを含む。
【００１６】
付加的な校正シーケンス（測定）の遂行は、以前にアップロードされたディスプレイ校正データを使用してディスプレイを動作すること、全ての表示ピクセルを共通の減少電力で動作すること、表示ピクセルの異なる部分を異なる電力レベルで動作すること、又はそれらステップの組み合わせを含む。要望に応じて、付加的な校正シーケンス中に、ディスプレイは、複数の動作モードで動作することができる。
【００１７】
又、ディスプレイに対する付加的な校正シーケンス（測定）の遂行は、ディスプレイを動作しながら付加的な性能データを収集すること、付加的な性能データを処理すること、ディスプレイに対する修正白色点を測定すること、収集した付加的な性能データから相対的な色強度を計算すること、収集した付加的な性能データから色クロストーク値を計算すること、又は表示性能の他の統計学的尺度を計算することを含む。各付加的な校正シーケンス中に、処理された付加的な性能データが所定の規格と比較される。
【００１８】
要望があれば、各付加的な校正シーケンスは、以前に収集した表示性能データに基づいて（例えば、１つ以上の先行する校正シーケンスに基づいて）、校正コンピューティング装置により選択（構成）される。一例として、自然表示白色点が特定の色に向かってスキューしていると決定された場合には、その後続校正シーケンスは、その色の表示ピクセルを多数の個別電力レベルで付勢しながら付加的な性能データ収集するか、さもなければ、その色の表示ピクセルに特有の付加的な性能データを収集することを含む。
【００１９】
校正コンピューティング装置は、校正シーケンスの収集した性能データが許容範囲内に入るまで、又は所定最大数の校正シーケンスが遂行されるまで、ディスプレイに対して付加的な校正シーケンスの遂行を継続するように構成される。
【００２０】
本発明の更なる特徴、その特性、及び種々の効果は、添付図面及び好ましい実施形態の以下の詳細な説明から明らかとなろう。
【図面の簡単な説明】
【００２１】
【図１】本発明の一実施形態によるディスプレイを有する例示的電子装置の図である。
【図２】本発明の一実施形態により着色表示ピクセルがどのように行及び列に配置されるかを示すディスプレイの例示的部分の図である。
【図３】本発明の一実施形態により、校正コンピューティング装置と、光センサを有するテストチャンバーとを備えた、ディスプレイ校正を遂行する例示的校正システムの図である。
【図４】本発明の一実施形態により、ターゲット白色点の所定範囲内にある自然表示白色点をどのようにして非修正のままにするか示す例示的色度図である。
【図５】本発明の一実施形態により、校正シーケンスの適応、繰り返しセットがどのようにして複数のディスプレイ校正修正を発生するか示す例示的色度図である。
【図６】本発明の一実施形態によりディスプレイを有する電子装置の校正を遂行するのに含まれる例示的ステップのフローチャートである。
【図７】本発明の一実施形態により、ディスプレイが校正シーケンス中に異なる動作モードで動作される校正シーケンスをどのように選択するか示す図である。
【図８】本発明の一実施形態により、ディスプレイ校正修正を発生するために付加的な表示性能統計値をどのように補間するか示す例示的色度図である。
【図９】本発明の一実施形態によりディスプレイを有する電子装置の校正を遂行するのに含まれる例示的ステップのフローチャートである。
【図１０】本発明の一実施形態により、校正シーケンス中に測定された表示白色点を、後続校正シーケンスを選択する上でどのように使用するか示す例示的色度図である。
【発明を実施するための形態】
【００２２】
セルラー電話、メディアプレーヤ、コンピュータ、セットトップボックス、ワイヤレスアクセスポイントのような電子装置、及びディスプレイを有する他の電子装置は、製造中に校正することができる。ディスプレイは、液晶ディスプレイ（ＬＣＤ）スクリーン、発光ダイオード（ＬＥＤ）、有機発光ダイオード（ＯＬＥＤ）、及び他のコンポーネント、例えば、視覚情報及び状態データを与え、及び／又はユーザ入力データを収集するタッチ感知コンポーネントを含む。表示色性能は、表示白色点のような色性能統計値により一部分特徴付けられる。所与のディスプレイの表示白色点は、校正動作中に測定されて、ターゲット白色点に一致するように変更される。
【００２３】
ディスプレイが設けられる形式の電子装置が図１に例示されている。この電子装置１０は、コンピュータモニタのようなディスプレイに一体化されるコンピュータ、ラップトップコンピュータ、タブレットコンピュータ、若干小さなポータブル装置、例えば、腕時計装置、ペンダント装置、又は他の着用可能な又は小型の装置、セルラー電話、メディアプレーヤ、タブレットコンピュータ、ゲーム機、ナビゲーション装置、コンピュータモニタ、テレビジョン、又は他の電子装置である。
【００２４】
図１に示したように、装置１０は、ディスプレイ１４のようなディスプレイを備えている。ディスプレイ１４は、発光コンポーネント２４、タッチ感知回路２２、発光コンポーネント２４を動作するためのディスプレイドライバ回路２０、及び他のディスプレイコンポーネントを備えている。
【００２５】
発光コンポーネント２４は、反射性コンポーネントから形成された表示ピクセル、液晶ディスプレイ（ＬＣＤ）コンポーネント、有機発光ダイオード（ＯＬＥＤ）コンポーネント、又は他の適当な表示ピクセル構造体を含む。ディスプレイ１４にカラー画像を表示する能力を与えるために、発光コンポーネント２４は、カラーフィルタ素子を有する表示ピクセルを含む。各カラーフィルタ素子は、ディスプレイ１４のピクセルアレイにおける各表示ピクセルに関連した光に色を与えるのに使用される。
【００２６】
ディスプレイタッチ回路２２は、容量性のタッチ電極（例えば、インジウムスズ酸化物電極又は他の適当な透明電極）、又は他のタッチセンサコンポーネント（例えば、抵抗性タッチ技術、音響タッチ技術、光センサ、力センサ、等を使用するタッチセンサ構成体）を含む。ディスプレイ１４は、ディスプレイタッチ回路２２を合体するタッチスクリーンでもよいし、又はタッチ感知ではないディスプレイでもよい。
【００２７】
ディスプレイドライバ回路２０は、例えば、液晶ディスプレイの薄膜トランジスタ層のような表示層にマウントされるドライバ集積回路を含む。ディスプレイドライバ回路２０は、装置１０内の付加的な回路、例えば、記憶・処理回路１２に結合される。
【００２８】
処理回路１２は、マイクロプロセッサ、マイクロコントローラ、デジタル信号プロセッサ集積回路、特定用途向け集積回路、及び他の処理回路を含む。
【００２９】
又、処理回路１２には、揮発性及び不揮発性メモリ回路、例えば、ランダムアクセスメモリ、リードオンリメモリ、ハードディスクドライブ記憶装置、ソリッドステートドライブ、及び他の記憶回路も含まれる。
【００３０】
処理回路１２は、ワイヤレス通信回路１６及び／又は入力／出力装置１８を使用して、ユーザ入力を得ると共に、ユーザに出力を与える。入力／出力装置１８は、スピーカ、マイクロホン、センサ、ボタン、キーボード、ディスプレイ、タッチセンサ、並びに入力を受け取り及び出力を供給する他のコンポーネントを含む。ワイヤレス通信回路は、ワイヤレスローカルエリアネットワークトランシーバ回路、セルラー電話ネットワークトランシーバ回路、及びワイヤレス通信のための他のコンポーネントを含む。
【００３１】
ディスプレイ１４は、表示ピクセルのアレイを含む。各表示ピクセルは、ディスプレイの一部分に関連した表示光を発生するように使用される。表示ピクセルの例示的アレイの一部分が図２に示されている。図２に示すように、ディスプレイ１４は、ピクセル３０の行及び列をもつピクセルアレイを有する。表示ピクセル３０の行及び列は、数十、数百、又は数千ある。各ピクセル３０は、要望があれば、赤（Ｒ）ピクセル、緑（Ｇ）ピクセル、青（Ｂ）ピクセル又は別の色のピクセルのようなカラーピクセルでよい。例えば、赤ピクセルＲは、赤い光を通過するが赤以外の光を吸収及び／又は反射する赤色フィルタ素子を光発生素子（例えば、ＬＥＤ又は液晶素子）の上に含む。しかしながら、これは、単なる例示に過ぎない。ピクセル３０は、所与の色の光を発生する任意の適当な構造体を含むことができる。
【００３２】
ディスプレイドライバ回路２０（図１）、例えば、ディスプレイドライバ集積回路、及び要望があれば、ディスプレイ基板層に形成された関連薄膜トランジスタ回路は、ピクセル３０を動作する（例えば、ピクセル３０をターンオン及び／又はオフするか及び／又は強度又はピクセル３０を調整する）ためにデータ信号及びゲートライン信号のような信号を（例えば、ディスプレイ１４の各々データライン及びゲートラインに）発生するように使用される。動作中に、ディスプレイドライバ回路２０は、データ信号及びゲート信号の値をコントロールして、各表示ピクセルに関連した光強度、ひいては、ディスプレイ１４上の表示画像をコントロールする。
【００３３】
ディスプレイドライバ回路２０は、例えば、原色Ｒ、Ｇ及びＢの混合色をもつ光を発生するために異なる色のピクセル３０を同時に動作するのに使用される。例えば、赤ピクセルＲ及び青ピクセルＢを動作すると、紫に見える光を発生し、赤ピクセルＲ及び緑ピクセルＧを動作すると、黄色に見える光を発生し、そして赤ピクセルＲ、緑ピクセルＧ及び青ピクセルＢを動作すると、白に見える光を発生する。
【００３４】
しかしながら、人間の目に白く見える光は、種々の異なる基礎スペクトル電力分布を含む（例えば、赤、緑及び青のような個々の色の光の種々の組み合わせから発生される）。例えば、日光は、人間の目に白く見えるが、比較的多量の青い光を含み、一方、白熱電灯からの光は、人間の目には白く見えるが、比較的多量の赤い光を含む。
【００３５】
製造上のばらつきのために、全電力では、あるディスプレイは、他のディスプレイに比して、各色について比較的多量又は少量の光を発生することがある。これらの製造上の差のために、ある装置のディスプレイにより発生される白い光は、別の装置のディスプレイにより発生される白い光とは異なることがある。
【００３６】
これらの差は、一方の装置のディスプレイの表示コントロール設定を調整して、そのディスプレイの表示色性能が別の装置のディスプレイの表示色性能に一致するようにすることにより修正することができる。ディスプレイの表示コントロール設定を調整することは、回路２０（図１）のような表示コントロール回路が各色のピクセル３０に与える相対的な最大電力レベルを調整することを含む。
【００３７】
更に、全ての装置にわたって均一の表示性能を示すディスプレイを伴う電子装置を製造するために、各装置のディスプレイは、製造中に、各装置のディスプレイの表示色性能（例えば、白い光のスペクトル内容）が標準的（時々、ターゲットとも称される）表示色性能に一致するように校正される。
【００３８】
図３は、装置１０のような装置のディスプレイを校正するのに使用される校正システムを例示する図である。図３に示すように、校正システム４０は、校正コンピューティング装置４２を備え、これは、テストチャンバー４４のようなテスト装置に結合される。校正コンピューティング装置４２は、１つ以上のコンピュータ、１つ以上のデータベース、１つ以上のディスプレイ、１つ以上の技術者インターフェイス装置（例えば、校正コンピューティング装置４２を技術者がコントロールするためのキーボード、タッチスクリーン、ジョイスティック、ボタン、スイッチ、等）、通信コンポーネント、又は他の適当な校正コンピューティング装置を含む。
【００３９】
校正コンピューティング装置は、経路４６のようなワイヤード又はワイヤレス通信経路を経てテストチャンバー４４に結合される。
【００４０】
テストチャンバー４４は、光センサ４８のような光センサを備えている。光センサ４８は、校正動作中に装置１０のディスプレイ１４により放射される表示光４３を収集するための１つ以上の光感知コンポーネント４５を含む。光センサ４８は、着色光を収集するように構成された光感知コンポーネント４５、例えば、色彩測定光感知コンポーネント及び分光測定光感知コンポーネントを含む。
【００４１】
光センサ４８は、例えば、ディスプレイ１４における着色ピクセルの各セットに対応する１つ以上の光感知コンポーネント４５を有する色彩計である。例えば、赤、緑及び青の表示ピクセルを有するディスプレイは、それに対応する赤、緑及び青の光感知コンポーネント４５を有する光センサを使用して校正される。しかしながら、これは、単なる例示に過ぎない。ディスプレイは、赤、緑及び青以外の色を放射するための表示ピクセルを含むか、３つより多くの色のピクセルを含むか、又は３つ未満の色のピクセルを含む。光センサは、ディスプレイ１４における各色の表示ピクセルに対応する１つの光感知コンポーネント４５を含むか、各色の表示ピクセルに対応する２つ以上の光感知コンポーネント４５を含むか、表示ピクセルの色以外の色に対応する光感知コンポーネント４５を含むか、又は光の色の連続スペクトルの相対的強度を検出するための分光構造を有する１つ以上の光感知コンポーネント４５を含む。
【００４２】
各光感知コンポーネント４５は、その光感知コンポーネント４５に光感知素子上にカラーフィルタを設けることにより所与の色の光を受け取るように構成される。光センサ４８の各光感知コンポーネント４５は、例えば、全ての光センサピクセル上に共通のカラーフィルタを有する光センサピクセルのアレイ含むか、或いは光センサ４８は、カラーフィルタのパターン化されたアレイが設けられた光センサピクセルのアレイを使用して実施される。光センサ４８が分光光感知コンポーネント４５を含むような構成では、光センサ４８は、異なる色の光を光センサピクセルのアレイの異なる領域に向け直すために、１つ以上のプリズム、グリズム、格子又は他の適当なコンポーネントを含む。
【００４３】
光センサ４８は、表示光を表示性能データへ変換して、装置１０のディスプレイ１４のようなディスプレイの色性能を校正するために、システム４０によって使用される。校正コンピューティング装置４２は、光センサ４８を使用して、ディスプレイ１４のようなディスプレイを校正するための性能データを収集する。
【００４４】
テストチャンバー４４は、要望があれば、校正動作中に外部の光（例えば、テスト設備の周囲光）が光センサ４８に到達するのを防止する光密チャンバーでよい。又、テストチャンバー４４は、要望があれば、テストチャンバー４４の１つ以上の内面を覆う光吸収材料のような光吸収構造を含んでもよい。
【００４５】
校正動作中に、装置１０は、（例えば、技術者又はロボット部材により）テストチャンバー４４に入れられる。校正コンピューティング装置４２は、校正動作中に装置１０及び光センサ４８を動作する。例えば、校正コンピューティング装置４２は、ディスプレイ１４の幾つかの又は全部のピクセルを動作するためにコマンドを装置１０へ発行する（例えば、経路４６を経て信号を送信することにより）。装置１０がディスプレイ１４のピクセルを動作する間に、校正コンピューティング装置４２は、光センサ４８を動作して、ディスプレイ１４により放射された光４３に対応する表示性能データを収集する。
【００４６】
校正コンピューティング装置４２は、光センサ４８から経路４６を経て表示性能データを受け取る。校正コンピューティング装置４２は、収集した性能データを処理して、その収集した性能データから表示性能統計値（時々、色性能統計値とも称される）を抽出する。校正コンピューティング装置４２は、１つ以上の適応式に構成された校正シーケンスを遂行することを含む校正動作を遂行する。各校正シーケンスを遂行することは、性能データを収集して処理し、そして任意であるが、ディスプレイに対する修正アクションを遂行することを含む。
【００４７】
校正コンピューティング装置４２は、ディスプレイが満足に校正されるまで又は最大数の繰り返しが完了するまで校正シーケンスを繰り返し遂行する。あるシナリオでは、校正動作は、ディスプレイ１４に対する修正アクションなしに、単一の校正シーケンスで完了される。あるシナリオでは、校正動作は、各校正シーケンス中に或いは校正シーケンスと校正シーケンスとの間にディスプレイ１４に対して修正アクションを行うようにして２つ以上の校正シーケンスを要求する。要望があれば、校正コンピューティング装置４２は、１つ以上の先行する校正シーケンスの結果に基づき各校正シーケンスをアクティブに校正することができる。
【００４８】
例えば、性能データが収集されて処理されそしてディスプレイ１４に対する修正アクションが取られる第１の校正シーケンスに続いて、校正コンピューティング装置は、第２の校正シーケンスを遂行すべきであると決定し、そして第１の校正シーケンス中に収集された性能データに基づいて第２の校正シーケンスを選択する（例えば、収集されるべき性能データの形式及び性能データに対して遂行されるべき処理の形式を選択する）。
【００４９】
ディスプレイ１４に対する修正アクションの遂行は、ディスプレイ１４に対する校正データのような校正データを発生し、そしてその発生したデータを、経路４６を経て装置１０へアップロードすることを含む。アップロードされた校正データは、装置１０に記憶され、そしてディスプレイ１４の表示色性能を変更するのに使用される。通常の動作中に、装置１０は、最終的にアップロードされた校正データを使用して校正されたディスプレイを動作する。校正データは、ディスプレイ１４における各色の表示ピクセルに与えられる相対的な電力レベルをスケーリングするための乗算ファクタを含むか、又は乗算定数値、時間依存値、電力レベル依存値又はディスプレイ１４の色性能を調整するための他の適応パラメータを含む。
【００５０】
校正動作中に校正コンピューティング装置４２から装置１０へアップロードされた校正データは、記憶・処理回路１２（図１）を使用して装置１０に記憶される。校正コンピューティング装置４２から装置１０へ校正データをアップロードすることは、校正データを、回路１２で実行されるソフトウェアによりアクセスするために揮発性又は不揮発性メモリに記憶すること、及び／又は校正データを、ディスプレイ１４に関連したファームウェア（例えば、ディスプレイドライバ回路２０）へハードコード化することを含む。
【００５１】
校正システム４０は、装置１０のような数十、数百、数千、数万、数十万、数百万、数千万又はそれ以上の装置に対して表示色性能を校正するように構成される。それ故、適応ディスプレイ校正（例えば、校正シーケンスを適応的に選択しそして以前に得た表示性能データに基づいてそれを遂行するディスプレイ校正動作）を行うことのできる校正システム４０を設けることで、製造からエンドユーザへの納入までに装置１０のような移動装置に要する時間を著しく短縮すると共に、単一の予め構成された校正シーケンスを有する校正システムよりも大きな校正修正を要求するディスプレイを比較的頑健に校正できる結果となる。
【００５２】
図４は、色空間の二次元投影を示す色度図である。ディスプレイ１４のようなディスプレイにより発生される色は、色度値ｘ及びｙによって表される。色度値は、例えば、赤の強度、青の強度及び緑の強度のような３色強度（例えば、ディスプレイにより放射される着色光の強度）を３つの三刺激(tristimulus)値Ｘ、Ｙ及びＺへ変換し、そして最初の２つの三刺激値Ｘ及びＹを正規化する（例えば、ｘ＝Ｘ／（Ｘ＋Ｙ＋Ｚ）及びｙ＝Ｙ／（Ｘ＋Ｙ＋Ｚ）を計算することにより）ことにより、計算される。色強度を三刺激値へ変換することは、インターナショナル・コミッション・オン・イルミネーション（ＣＩＥ）により規定された変換、又は三刺激値を計算するための他の適当な色変換を使用して遂行される。
【００５３】
それ故、ディスプレイ１４のようなディスプレイによって発生される色は、図４に示すような色度図において点（例えば、一対の色度値ｘ及びｙ）で表わされる。図４の境界付けされた領域５０は、色の全ての組み合せの色度値を表わす（即ち、利用可能な全色空間）。所与のディスプレイにより発生される色は、境界付けされた領域５０のサブ領域内に含まれる。
【００５４】
校正動作中に、ディスプレイ１４が動作している間に、校正コンピューティング装置４２は、例えば、性能データ（例えば、３つの各色における放射光強度を含む性能データ）を収集し、その３つの放射光強度を３つの対応する三刺激値へ変換し、そしてそれら３つの三刺激値をディスプレイ１４の動作モードに対応する一対の色度値ｘ及びｙへとマップする。次いで、校正コンピューティング装置４２は、色度値のマップ対を、色度値のターゲットセットと比較する。
【００５５】
ディスプレイ１４のようなディスプレイの表示色性能は、ディスプレイの「白色点」のような色性能統計値により特徴付けられる。所与のディスプレイの白色点は、通常、そのディスプレイが全電力で全ての利用可能な表示色を発生するときにその所与のディスプレイにより発生される色をエンコードする色度値のセットにより定義される。校正中の修正の前に、ディスプレイの白色点は、そのディスプレイの「自然白色点」（ＮＷＰ）と称される。
【００５６】
ディスプレイごとに製造上の差があるため、ディスプレイの色性能は、ディスプレイの校正前に、ディスプレイの望ましい（ターゲット）色性能とは異なることがある。望ましい表示色性能は、「ターゲット白色点」ＴＷＰ（例えば、標準的ディスプレイ又は発光体により発生される色をエンコードする色度値のセット）により特徴付けられる。例えば、ターゲット白色点ＴＷＰは、インターナショナル・コミッション・オン・イルミネーション（ＣＩＥ）のＤ６５発光体に対応する白色点である。しかしながら、これは、単なる例示に過ぎない。ディスプレイ１４のようなディスプレイの校正のために、任意の適当なターゲット白色点ＴＷＰを使用することができる。
【００５７】
ディスプレイの自然（即ち、未校正）色性能とディスプレイのターゲット色性能との間の差は、図４に示すように、ディスプレイの自然白色点ＮＷＰとターゲット白色点ＴＷＰとの間の差によって特徴付けられる。
【００５８】
校正動作中に、ディスプレイ１４のピクセル３０の１つ以上の色の相対的出力を調整することにより、ディスプレイの白色点は、ターゲット白色点（ＴＷＰ）のようなターゲット表示色性能の範囲５２のような所定の範囲内に調整（修正）される。しかしながら、これは、単なる例示に過ぎない。あるシナリオでは、ディスプレイの測定された自然白色点ＮＷＰは、図４の例に示すように、ターゲット白色点ＴＷＰの指定範囲５２内にあり、従って、校正動作は、ディスプレイに対して色性能修正を行わずに終了される。
【００５９】
図５に示すように、あるシナリオでは、ディスプレイ１４のようなディスプレイの自然白色点ＮＷＰは、ターゲット白色点ＴＷＰの許容範囲５２の外側である。校正動作中に、自然白色点ＮＷＰがターゲット白色点ＴＷＰの許容範囲５２の外側であるとの決定に応答して、校正コンピューティング装置４２を使用して、ディスプレイの白色点に対して修正５６のような第１の修正を行って、自然白色点ＮＷＰを修正白色点ＣＷＰへ修正する（例えば、第１の校正シーケンス中に）。
【００６０】
自然表示白色点ＮＷＰのような表示白色点（例えば、校正コンピューティング装置４２により決定された色度値ｘＮ及びｙＮのセット）は、ディスプレイの相対的な最大色出力を調整することにより、修正白色点ＣＷＰ＝［ｘＣ、ｙＣ］へ修正される。例えば、赤、緑及び青の各最大色強度Ｒｍａｘ、Ｇｍａｘ及びＢｍａｘを発生するディスプレイは、ディスプレイの動作中に、赤、緑及び青の各修正最大色強度が１．０Ｒｍａｘ、０．９５Ｇｍａｘ及び０．９１Ｂｍａｘとなるように調整される。この例では、ディスプレイ１４の動作中に、全ての青表示信号は、その青表示信号を青表示ピクセルへ送信する前に０．９１のファクタで減少され、そして全ての緑表示信号は、その緑表示信号を緑表示ピクセルへ送信する前に０．９５のファクタで減少される。
【００６１】
表示校正データ、例えば、（現在の例では）１．０、０．９５及び０．９１の表示校正パラメータは、ターゲット白色点ＴＷＰに対応するターゲット三刺激値のセットを発生し、そのターゲット三刺激値を変換してターゲット色強度を得、そして例えば、そのターゲット色強度を、自然白色点ＮＷＰに対応する測定色強度と比較することにより、決定される（例えば、ターゲット色強度を、自然白色点ＮＷＰに対応する測定色強度で除算することにより）。
【００６２】
ディスプレイの表示コントロール設定を修正するための白色点校正データのような表示校正データは、校正コンピューティング装置４２から経路４６を経て装置１０へアップロードされるか又は送信される。アップロードされた表示校正データは、例えば、ディスプレイドライバ回路２０からディスプレイ１４の発光コンポーネント２４へ配送される相対的電力レベルに適用されるか、又は回路１２からディスプレイドライバ回路２０に与えられる表示信号に適用される。
【００６３】
図５に示すように、校正コンピューティング装置は、修正白色点ＣＷＰが範囲５２の外側であると決定する。修正白色点ＣＷＰは、例えば、ピクセル供給電力レベルに対する色強度の非直線的依存性（即ち、所与の色のピクセルに供給される電力をある量だけ減少すると、それらピクセルによって発生される光の強度が前記ある量より多く（又は少なく）減少される）のために、範囲５２から外れる。
【００６４】
校正コンピューティング装置４２は、修正白色点ＣＷＰが範囲５２から外れるとの決定に応答して、付加的な校正シーケンスを遂行し、修正５８（修正白色点ＣＷＰからその後の修正白色点ＣＷＰ’まで）及び修正５９（その後の修正白色点ＣＷＰ’から更なる修正白色点ＣＷＰ”まで）のような各付加的な校正修正を生じさせる。
【００６５】
校正コンピューティング装置４２は、各校正シーケンスに続いて、付加的な校正シーケンスを遂行すべきかどうか決定し、そして付加的な校正シーケンスを遂行すべきとの決定に応答して、１つ以上の先行する校正シーケンスの成果に基づいてその校正シーケンスを選択する。校正コンピューティング装置４２は、色クロストーク統計値、異なるグレイレベルでの表示白色点（例えば、全てのピクセル強度を５０％減少して測定された白色点）、色混合統計値（例えば、ある色の表示ピクセルを動作する間に得られる別の色の感光成分からの測定色強度）、個々の色統計値（例えば、ある色のピクセルのみを動作する間にその色の感光成分により測定される色強度）、等の性能統計値の付加的なセットを性能データから抽出する校正シーケンスを選択する。
【００６６】
校正コンピューティング装置４２は、ディスプレイの修正白色点がターゲット白色点ＴＷＰの範囲５２内に入るまで、適応構成の校正シーケンスを遂行するように構成される。あるシナリオでは、第１の修正白色点ＣＷＰが範囲５２内にあり、校正動作が終了される。又、あるシナリオでは、校正コンピューティング装置４２は、所定最大数の校正シーケンスが遂行された後に、校正動作を終了する。
【００６７】
校正コンピューティング装置４２は、１つ以上の先行する校正シーケンスの結果に基づき校正シーケンスを選択する（例えば、収集されるべき性能データの形式を選択し、及び／又は収集した性能データから抽出されるべき統計値の形式を選択する）ように構成される。
【００６８】
校正シーケンスを適応的に選択する一例として、自然白色点ＮＷＰが、校正シーケンス中に、色度図の赤部分内にある（即ち、ディスプレイにより発生される白い光が比較的多量の赤い光を含む）と決定された場合には、コンピューティング装置４２は、ディスプレイ１４の赤表示ピクセル３０のみを（又は主としてそれを）種々の電力レベルで動作する間に付加的な性能データを収集する後続校正シーケンを選択する。しかしながら、この例は、単なる例示に過ぎない。各校正シーケンスの間に、校正コンピューティング装置４２は、他の校正シーケンスで収集したものより多くの又はそれより少ない性能データを収集し、以前の校正シーケンス中に得たディスプレイ校正データを使用してディスプレイを動作する間に同じ又は異なるデータを収集し、及び／又はその校正シーケンス或いは以前の校正シーケンス中に収集した性能データから同じ又は異なる性能統計値を抽出する。
【００６９】
図３に示す形式の校正システムを使用して装置の表示校正（例えば、表示白色点校正）を行うために、図６の例示的フローチャートのステップが遂行される。
【００７０】
ステップ６０において、ディスプレイを有する装置１０のような装置を、テストチャンバー４４のようなテストチャンバーに入れる。
【００７１】
ステップ６２において、校正システム４０は、ディスプレイを動作し、そしてディスプレイを動作しながら表示性能データを収集することにより、校正シーケンスを開始する。各校正シーケンスは、インデックスｉに関連している。最初の校正シーケンスでは、ｉが（例えば）１にセットされる。ディスプレイ１４は、例えば、幾つか又は全ての色の幾つか又は全てのピクセルを所与の電力レベルで照明するようにコンピューティング装置４２により動作される（例えば、ディスプレイ１４を動作するコマンドを装置１０へ発行することにより）。ディスプレイ１４を動作する間に、光センサ４８のような光センサをテストチャンバーに使用して、性能データを収集する。
【００７２】
ステップ６４において、収集した表示性能データを処理する（例えば、校正コンピューティング装置４２を使用して）。表示性能データを処理することは、表示性能統計値、例えば、自然白色点ＮＷＰ（例えば、校正シーケンス１に対する）、修正白色点ＣＷＰ（例えば、校正シーケンス２に対する）、個々の色強度、又は他の適当な性能統計値を、表示性能データから抽出することを含む。
【００７３】
ステップ６６において、処理された表示性能データ（例えば、抽出されたＮＷＰ、ＣＷＰ、ＣＷＰ’、又は他の表示性能統計値）をターゲット性能データと比較する。ターゲット性能データは、全ての校正シーケンスに共通の所定の標準データでもよいし、又は所与の校正シーケンスに特有のものでもよい。
【００７４】
表示性能データをターゲット性能データと比較することは、ディスプレイに関連した抽出された白色点をターゲット白色点と比較することを含む。ディスプレイに関連した抽出された白色点をターゲット白色点と比較することは、抽出された白色点がターゲット白色点の周りの許容範囲（例えば、図３及び４の範囲５２）内にあるかどうか決定することを含む。
【００７５】
もし要望があれば、表示性能データをターゲット性能データと比較することは、付加的な抽出された表示性能統計値がそれに対応する付加的なターゲット表示性能データの所定範囲内にあるかどうか決定することを含む。
【００７６】
抽出された表示性能統計値が所定のターゲットデータの許容範囲内にあると決定された場合には、校正システム４０は、ステップ６８へ進む。
【００７７】
ステップ６８において、合格のディスプレイに対して適当なアクションをとる。合格のディスプレイに対する適当なアクションは、ディスプレイ校正動作を終了し、合格のディスプレイを伴う装置１０をエンドユーザへ出荷し、合格のディスプレイを伴う装置１０を、装置１０の他のコンポーネントの校正又はテストのために後続の校正ステーション又はテストステーションへ送り、或いは装置１０を、装置１０の更なるアッセンブリのために後続の製造ステーションへ送ることを含む。
【００７８】
抽出された表示性能統計値が所定のターゲットデータの許容範囲外であることが決定された場合には、校正システム４０は、ステップ７０へ進む。
【００７９】
ステップ７０において、校正システム４０は、ディスプレイ１４の表示コントロール設定を変更し、そして校正シーケンスインデックスｉをインクリメントする（例えば、インデックスｉをｉ＋１に更新する）。ディスプレイ１４の表示コントロール設定を変更することは、抽出された性能統計値とターゲット性能データとの間の測定された差に基づいてディスプレイの表示校正データを発生し、そして表示校正データを、経路４６を経て電子装置へアップロードすることを含む。
【００８０】
アップロードされた校正データは、装置１０に記憶され、そしてそれを使用して、後続の校正シーケンス中にディスプレイ１４の表示カラー性能を変更する。決定された校正データを装置１０へアップロードすることは、校正データを、回路１２で実行されるソフトウェアによりアクセスするために装置１０の揮発性又は不揮発性メモリに記憶し、及び／又は決定された校正データを、ディスプレイ１４に関連したファームウェア（例えば、ディスプレイドライバ回路２０）へハードコード化することを含む。
【００８１】
インクリメントされたインデックスｉの値が、最大繰り返し数（ｉＭＡＸ）以上である場合には、校正システム４０は、ステップ７２へ進む。
【００８２】
ステップ７２において、不合格のディスプレイに対して適当なアクションをとる。校正システム４０がディスプレイ１４を首尾良く校正できない状況においては、ディスプレイが不合格のディスプレイであると考えられる。不合格のディスプレイに対する適当なアクションは、ディスプレイを交換し、ディスプレイを再生し、ディスプレイを売主に返却し、或いはその他、不合格のディスプレイを廃棄することを含む。
【００８３】
ステップ７０において、インクリメントされたインデックスｉの値が最大繰り返し数（ｉＭＡＸ）より小さい場合には、校正システム４０は、ステップ７４へ進む。
【００８４】
ステップ７４において、校正コンピューティング装置４２は、表示性能データ（例えば、現在又は以前の校正シーケンス（１つ又は複数）の間に収集されて処理された表示性能データ）に基づいて次の校正シーケンス（測定）を選択する。次の校正シーケンスを選択することは、他の校正シーケンスで収集したものより多くの又は少ない性能データを収集し、以前の校正シーケンス中に装置１０へアップロードされた表示校正データを使用してディスプレイを動作する間に同じ又は異なる性能データを収集し、及び／又は選択された校正シーケンス及び以前の校正シーケンス（１つ又は複数）の間に収集した性能データから同じ又は異なる性能統計値を抽出するような校正シーケンスを選択することを含む。
【００８５】
次の校正シーケンスの選択に続いて、校正システム４０は、ステップ６２へ戻り（矢印７６で示すように）、そしてディスプレイ１４を動作して新たな性能データを収集することにより、選択された次の校正シーケンスを開始する。
【００８６】
図７は、ディスプレイ１４の表示ピクセルを異なる動作モードで動作することを各校正シーケンスが含むことを示す図である。校正システム４０は、ディスプレイ１４を各動作モードで動作する間に表示性能データを収集して処理するように構成される。図７の例において、第１の校正シーケンス中に、赤（Ｒ）、緑（Ｇ）及び青（Ｂ）の表示ピクセルが最大電力レベルで動作される（例えば、表示自然白色点を決定するために）。第２の校正シーケンス中に、赤（Ｒ）、緑（Ｇ）及び青（Ｂ）の表示ピクセルは、共通の減少電力レベルで動作される（例えば、表示電力レベルで色強度の直線性を検証するために）。第３の校正シーケンス中に、赤（Ｒ）、緑（Ｇ）及び青（Ｂ）の表示ピクセルは、個別の異なる電力レベルで動作される。その後の校正シーケンスは、ディスプレイ１４に対する付加的な動作モードを含む。
【００８７】
ディスプレイ１４の表示ピクセルが校正シーケンスごとに１つの動作モードで動作される図７の例は、単なる例示に過ぎない。もし要望があれば、ディスプレイ１４の表示ピクセルは、各校正シーケンス中に２つ以上の動作モードで動作されてもよいし、又は全ての校正シーケンスに対して同じ動作モードで動作されてもよい。
【００８８】
図８は、校正シーケンス中に多数の対応するディスプレイ動作モードを使用して多数の表示性能データ点をどのように収集するか示す色度図である。
【００８９】
図８に示すように、第１の修正５６がなされた第１の校正シーケンスに続いて、校正コンピューティング装置４２は、ディスプレイ１４を３つの異なる動作モード（例えば、赤（Ｒ）の表示ピクセルだけが全電力で照明される動作モード、緑（Ｇ）の表示ピクセルだけが全電力で照明される動作モード、及び青（Ｂ）の表示ピクセルだけが全電力で照明される動作モード）で動作する間に性能データを収集するようにその後の校正シーケンスを構成する。
【００９０】
赤、緑及び青の表示ピクセルを排他的に動作する間に、光センサ４８を使用して各最大色強度Ｒｍａｘ、Ｇｍａｘ及びＢｍａｘのような表示性能データ点を収集する。校正コンピューティング装置４２は、ＮＷＰ、Ｒｍａｘ、Ｇｍａｘ、及びＢｍａｘのような多数の性能統計値を補間演算に使用して、ターゲット白色点ＴＷＰに等しい（又はほぼ等しい）修正白色点（例えば、ＣＷＰ’）を生じる表示校正データを決定するように構成される。
【００９１】
修正白色点ＣＷＰ’がターゲット白色点ＴＷＰの範囲５２を依然外れるシナリオでは、校正コンピューティング装置４２は、赤（Ｒ）、緑（Ｇ）及び青（Ｂ）の表示ピクセルの種々の混合体を動作するモードのような付加的な動作モードでディスプレイを動作する間に、後続校正シーケンス中に収集される混合色強度データ点のような付加的な表示性能データ点が収集されるように、更に別の校正シーケンスを構成する。校正コンピューティング装置４２は、付加的な性能データ点と以前に収集された性能データ点との間で補間を行って、修正白色点ＣＷＰ’をターゲット白色点ＴＷＰの範囲５２内へ修正するための計算された白色点修正を生じる表示校正データを発生する。
【００９２】
電子装置のディスプレイを構成するための校正シーケンスを適応選択するのに含まれる例示的ステップのフローチャートが図９に示されている。
【００９３】
ステップ８０において、校正コンピューティング装置４２及び光センサ４８のような校正装置を使用して、第１の校正シーケンスに対して少なくとも１つの表示性能データ点（例えば、自然白色点）を収集して処理する。
【００９４】
ステップ８２において、図６を参照して上述したステップのような第１の校正シーケンスに対する付加的な校正シーケンスステップに続いて、第２の校正シーケンスが要望される場合には、校正コンピューティング装置４２及び光センサ４８を使用して、第２の校正シーケンスに対し付加的なＮ個の性能データ点を収集して処理する。Ｎは、１以上の任意の整数である。一例として、校正コンピューティング装置４２は、図８を参照して上述したように、３つの付加的な性能データ点を収集し処理する。校正コンピューティング装置４２は、ステップ８０で収集されて処理された表示性能データ点と共に又はそれとは個別にＮ個の性能データ点を使用する。
【００９５】
ステップ８４において、図６を参照して上述したステップのような第２の校正シーケンスに対する付加的な校正シーケンスステップに続いて、第３の校正シーケンスが要望される場合には、校正コンピューティング装置４２及び光センサ４８を使用して、第２の校正シーケンスに対し付加的なＭ個の性能データ点を収集して処理する。Ｍは、１以上の任意の整数である。一例として、校正コンピューティング装置４２は、２つの混合色強度データ点のような２つの付加的な性能データ点を収集して処理する。校正コンピューティング装置４２は、ステップ８２において収集されて処理されたＮ個の表示性能データ点並びにステップ８０において収集されて処理された表示性能データ点と共に又はそれとは個別にＭ個の付加的な性能データ点を使用する。
【００９６】
ディスプレイが合格（例えば、校正済）のディスプレイであるか又は不合格のディスプレイであると決定されるまで、校正システム４０により付加的な校正シーケンスを遂行することができる。
【００９７】
図１０は、その後の校正シーケンスを選択するために校正シーケンスに対する表示性能データをシステム４０によりどのように使用するか示す色度図である。
【００９８】
図１０に示したように、色度図は、部分Ｉ、II、III及びIVのような部分に分割される。ある部分に自然白色点をもつディスプレイは、その通常特性が、他の部分に自然白色点をもつディスプレイの特性とは相違している。
【００９９】
ある形式の表示性能データを収集する校正シーケンスは、例えば、領域Ｉに自然白色点を有するディスプレイを校正する方が、例えば、領域IIIに自然白色点を有するディスプレイを校正するより効率的である。それ故、校正システム４０（例えば、校正コンピューティング装置４２）は、第１の校正シーケンス中に自然白色点ＮＷＰが領域IIにあると決定し、そして領域IIにおける自然白色点ＮＷＰの位置に基づいて、次の校正シーケンスに対してその領域に自然白色点をもつディスプレイに特有の校正シーケンスを選択する。
【０１００】
第１の校正シーケンスの表示性能データに基づくディスプレイの修正アクションに続いて、領域II特有の第２の校正シーケンスの間に、ディスプレイの修正白色点ＣＷＰは、領域IIIに位置すると決定される。領域IIIにおける修正白色点ＣＷＰの位置に基づいて、校正コンピューティング装置４２は、次の校正シーケンスに対して領域IIIに白色点をもつディスプレイ特有の更に別の校正シーケンスを選択する。
【０１０１】
校正システム４０のような校正システムは、ディスプレイが首尾良く校正されたと決定されるまで、又は最大数の校正シーケンスが実行されるまで、校正シーケンスを適応式に且つ繰り返し選択しそして実行する。
【０１０２】
図１０の例は、単なる例示に過ぎない。校正シーケンス中に収集された表示性能データは、その後の校正シーケンスの特性を選択するために適当な仕方で使用される。
【０１０３】
一実施形態によれば、校正コンピューティング装置及び光センサを備えた校正システムを使用してディスプレイを有する電子装置を校正する方法において、ディスプレイを使用して表示光を発生し、校正コンピューティング装置及び光センサで、その発生される表示光に関連した表示性能データを収集し、その収集した表示性能データをターゲット性能データと比較して、ディスプレイに対して表示白色点校正を遂行すべきかどうか決定することを含む方法が提供される。
【０１０４】
別の実施形態によれば、この方法は、更に、表示白色点校正の修正を遂行すべきであるとの決定に応答して、前記校正コンピューティング装置から前記電子装置へ表示校正データを与えることによりディスプレイに対して表示白色点校正を遂行することを含む。
【０１０５】
別の実施形態によれば、収集した表示性能データをターゲット性能データと比較することは、校正コンピューティング装置で、その収集した表示性能データから表示性能統計値を抽出し、そして校正コンピューティング装置で、その抽出した表示性能統計値をターゲット性能データと比較することを含む。
【０１０６】
別の実施形態によれば、この方法は、更に、校正コンピューティング装置で、表示性能データとターゲット性能データとの比較に基づき付加的な表示性能データを収集すべきかどうか決定することを含む。
【０１０７】
別の実施形態によれば、収集した表示性能データをターゲット性能データと比較することは、校正コンピューティング装置で、その収集した表示性能データからディスプレイの自然白色点データを抽出し、そして校正コンピューティング装置で、その抽出した自然白色点データをターゲット白色点データと比較することを含む。
【０１０８】
別の実施形態によれば、抽出した自然白色点データをターゲット白色点データと比較することは、抽出した自然白色点データがターゲット白色点データの所定の範囲内にあるかどうか決定することを含む。
【０１０９】
別の実施形態によれば、この方法は、更に、自然白色点データがターゲット白色点データの所定の範囲内にあるとの決定に応答して、ディスプレイの表示白色点校正を行わずに校正動作を終了することを含む。
【０１１０】
別の実施形態によれば、この方法は、更に、自然白色点データがターゲット白色点データの所定範囲外であるとの決定に応答して、抽出された自然白色点データとターゲット白色点データとの比較に基づいて表示校正データを発生し、そしてその発生した表示校正データを校正コンピューティング装置から電子装置に与えることによりディスプレイの表示白色点校正を遂行することを含む。
【０１１１】
別の実施形態によれば、この方法は、更に、自然白色点データがターゲット性能データの所定範囲外であるとの決定に応答して、付加的な表示性能データを収集することを含む。
【０１１２】
別の実施形態によれば、この方法は、更に、ディスプレイを使用して付加的な表示光を発生すること、校正コンピューティング装置及び光センサで、その付加的な表示光を発生する間に付加的な表示性能データ収集すること、及びその収集した付加的な表示性能データをターゲット性能データと比較して、ディスプレイに対する付加的な表示白色点校正を遂行すべきかどうか決定することを含む。
【０１１３】
電子装置のディスプレイの白色点校正を行う校正システムにおいて、光センサと、この光センサを使用してディスプレイからの表示光を測定することによって表示性能データを収集し、その収集した表示性能データをターゲット性能データと比較し、そしてその収集した表示性能データとターゲット性能データとの比較に応答して付加的な表示性能データを収集するように構成された校正コンピューティング装置とを備えた校正システムが提供される。
【０１１４】
別の実施形態によれば、校正コンピューティング装置は、ディスプレイを第１の動作モードで動作する間に表示性能データを収集するように構成されると共に、ディスプレイを第１の動作モードとは異なる第２の動作モードで動作する間に付加的な表示性能データを収集するように構成される。
【０１１５】
別の実施形態によれば、校正コンピューティング装置は、更に、収集した付加的な表示性能データに少なくとも一部分基づいてディスプレイのための表示白色点校正を遂行すべきかどうか決定するように構成される。
【０１１６】
別の実施形態によれば、校正システムは、更に、光センサがマウントされるテストチャンバーを備えている。
【０１１７】
一実施形態によれば、校正コンピューティング装置を有する校正システムを使用してディスプレイを有する電子装置の表示校正パラメータを得るための方法において、校正コンピューティング装置で、ディスプレイの第１の校正測定を遂行する段階であって、ディスプレイの第１の校正測定の遂行は、少なくとも１つの表示性能データ点を収集することを含むような段階と、校正コンピューティング装置で、少なくとも１つの表示性能データ点に基づきディスプレイに対して遂行すべき第２の校正測定を選択する段階と、校正コンピューティング装置で、ディスプレイに対して選択された第２の校正測定を遂行する段階と、を備えた方法が提供される。
【０１１８】
別の実施形態によれば、校正システムは、光センサを備え、ディスプレイの第１の校正測定の遂行は、ディスプレイを動作モードで動作すること、及び校正コンピューティング装置及び光センサで、ディスプレイを動作モードで動作する間に、少なくとも１つの表示性能データ点を収集することを含む。
【０１１９】
別の実施形態によれば、ディスプレイに対して選択された第２の校正測定を遂行する前記段階は、前記動作モードとは異なる少なくとも１つの付加的な動作モードでディスプレイを動作すること、及び校正コンピューティング装置及び光センサで、ディスプレイを少なくとも１つの付加的な動作モードで動作する間に、少なくとも１つの付加的な表示性能データ点を収集することを含む。
【０１２０】
別の実施形態によれば、ディスプレイを動作モードで動作することは、ディスプレイの複数の色の表示ピクセルに電力を同時に与えることを含む。
【０１２１】
別の実施形態によれば、ディスプレイに対して選択された第２の校正測定を遂行する前記段階は、複数の色のうちの第１の色の表示ピクセルに電力を排他的に与えること、校正コンピューティング装置及び光センサで、複数の色のうちの第１の色の表示ピクセルに電力を排他的に与える間に第１の付加的な表示性能データ点を収集すること、複数の色のうちの第２の色の表示ピクセルに電力を排他的に与えること、及び校正コンピューティング装置及び光センサで、複数の色のうちの第２の色の表示ピクセルに電力を排他的に与える間に第２の付加的な表示性能データ点を収集することを含む。
【０１２２】
別の実施形態によれば、ディスプレイに対して選択された第２の校正測定を遂行する前記段階は、少なくとも１つの付加的な表示性能データ点を収集することを含み、前記方法は、更に、校正コンピューティング装置で、少なくとも１つの付加的な表示性能データ点に基づいてディスプレイに対して遂行すべき第３の校正測定を選択すること、及び校正コンピューティング装置で、ディスプレイに対するその選択された第３の校正測定を遂行することを含む。
【０１２３】
別の実施形態によれば、少なくとも１つの表示性能データ点を収集することは、第１の表示性能データ点を収集することを含み、少なくとも１つの付加的な表示性能データ点の収集は、第２、第３及び第４の表示性能データ点を収集することを含み、そしてディスプレイの第３の校正測定の遂行は、ディスプレイの少なくとも第５の表示性能データ点を収集することを含む。
【０１２４】
別の実施形態によれば、第１の表示性能データ点を収集することは、ディスプレイの自然白色点を決定することを含み、前記第２、第３及び第４の表示性能データ点の収集は、第１、第２及び第３の色強度データ点を決定することを含み、そして少なくとも第５の表示性能データ点の収集は、少なくとも１つの混合色強度データ点を決定することを含む。
【０１２５】
別の実施形態によれば、ディスプレイの第１の校正測定を遂行することは、更に、表示校正データを電子装置に与えることを含み、ディスプレイの選択された第２の校正測定の遂行は、その与えられた表示校正データを使用してディスプレイを動作することを含む。
【０１２６】
一実施形態によれば、校正システムを使用して白色点表示校正データを得て電子装置のディスプレイを校正する方法において、前記ディスプレイは、複数の色の表示ピクセルを含むものであり、前記方法は、前記校正システムで、初期表示光出力データを収集してディスプレイの白色点性能を特徴付ける段階と、前記収集した初期表示光出力データから、複数の色のうちの所与の色に対する光出力がその色の予想光出力から著しくずれることが決定されるのに応答して、付加的な表示光出力データを収集して、ディスプレイの白色点性能を更に特徴付ける段階と、を備えた方法が提供される。
【０１２７】
以上、本発明の原理を例示したが、当業者であれば、本発明の精神及び範囲から逸脱せずに、種々の変更がなされ得ることが明らかであろう。
【符号の説明】
【０１２８】
１０：電子装置
１２：記憶・処理回路
１４：ディスプレイ
１６：ワイヤレス通信回路
１８：入力／出力装置
２０：ディスプレイドライバ回路
２２：タッチ感知回路
２４：発光コンポーネント
３０：ピクセル
４０：校正システム
４２：校正コンピューティング装置
４３：表示光
４４：テストチャンバー
４５：光感知コンポーネント
４６：経路
４８：光センサ
５０：領域
５２：許容範囲
５６、５８、５９：修正
【図１】
2013178519.tif 000003
【図２】
2013178519.tif 000004
【図３】
2013178519.tif 000005
【図４】
2013178519.tif 000006
【図５】
2013178519.tif 000007
【図６】
2013178519.tif 000008
【図７】
2013178519.tif 000009
【図８】
2013178519.tif 000010
【図９】
2013178519.tif 000011
【図１０】
2013178519.tif 000012
【外国語明細書】
2013178519.tif 000013
2013178519.tif 000014
2013178519.tif 000015
2013178519.tif 000016
2013178519.tif 000017
2013178519.tif 000018
2013178519.tif 000019
2013178519.tif 000020
2013178519.tif 000021
2013178519.tif 000022
2013178519.tif 000023
2013178519.tif 000024
2013178519.tif 000025
2013178519.tif 000026
2013178519.tif 000027
2013178519.tif 000028
2013178519.tif 000029
2013178519.tif 000030
2013178519.tif 000031
2013178519.tif 000032
2013178519.tif 000033
2013178519.tif 000034
2013178519.tif 000035
2013178519.tif 000036
2013178519.tif 000037
2013178519.tif 000038
2013178519.tif 000039
2013178519.tif 000040
2013178519.tif 000041
2013178519.tif 000042
2013178519.tif 000043
2013178519.tif 000044
2013178519.tif 000045
2013178519.tif 000046
2013178519.tif 000047
2013178519.tif 000048
2013178519.tif 000049
2013178519.tif 000050
2013178519.tif 000051
2013178519.tif 000052
2013178519.tif 000053
2013178519.tif 000054
2013178519.tif 000055
2013178519.tif 000056
2013178519.tif 000057
2013178519.tif 000058
2013178519.tif 000059
2013178519.tif 000060
2013178519.tif 000061
2013178519.tif 000062
2013178519.tif 000063
2013178519.tif 000064
2013178519.tif 000065